(57)【要約】【課題】壁に設けた開口部２の柱５の見込み幅に合わせて簡単に調整することができ、しかも十分な強度を有し、開口部２を広く利用することができること。【解決手段】２つの壁の間に設けられた壁間開口部２の両側の柱５の側面に沿って設けられた金属製の建具枠において、その縦枠３ｂを金属製板状材から構成し、上記開口部２の内面の一側に固定される第１の枠部材１０と、第１の枠部材１０に対して上記開口部２の見込み幅に合わせてスライド調整可能に重合した第２の枠部材１１とを重合して上記開口部２の柱５の側面に固定した。【選択図】図２
2008267037.tif 000002
【特許請求の範囲】
【請求項１】
２つの壁の間に設けられた壁間開口部の両側の柱の側面に沿って設けられた金属製の建具枠において、その縦枠を金属製板状材から構成し、上記開口部の内面の一側に固定される第１の枠部材と、第１の枠部材に対して上記開口部の見込み幅に合わせてスライド調整可能に重合した第２の枠部材とを重合して上記開口部の柱の側面に固定したことを特徴とする建具枠。
【請求項２】
上記第１の枠部材は板状材の中央部に断面が凹字形の凹字形部を形成し、その一側端に断面をＵ字形に折り返して第１の厚み出し部を形成してなり、上記第２の枠部材は板状材の中央部を断面Ｚ字形に形成し、その一側端に上記第１の厚み出し部と同じ形状の断面Ｕ字形の第２の厚み出し部を形成してなるとともに、上記第１の部材の凹字形部と第１の厚み出し部の反対側の裏面に、第２の枠部材をスライド可能に重合したことを特徴とする、請求項１に記載の建具枠。
【請求項３】
戸当り枠部材の一端に戸当り部を形成し、この戸当り部側の端部を第１の枠部材の表面に当接させ、他端を第１の枠部材の凹字形部に収納したことを特徴とする、請求項２に記載の建具枠。
【請求項４】
上記第１の枠部材の凹字形部の厚み寸法は、上記第１の厚み出し部側の端部では第１の厚み出し部よりも肉厚分だけ引っ込み、第１の厚み出し部の反対側の端部では第１の厚み出し部よりも肉厚分だけ出っ張るように形成されていることを特徴とする、請求項２に記載の建具枠。
【発明の詳細な説明】
【技術分野】
【０００１】
本発明は、屋内でドア等を開閉可能に収納する建具枠に関する。
【背景技術】
【０００２】
一般に、ドア等の建具を開閉可能に収納するドア枠のような建具枠は、屋内の壁等に形成された開口部の内面に取り付けられるものであるが、壁厚は一階と二階または居間、トイレ、浴室等の部屋の種類あるいは防音機能の有無等によっていろいろと異なっているのが実情である。したがって、開口部の見込み寸法もいろいろである。
【０００３】
ところで、室内に設けられた壁の開口部を開閉するドアは木製のものが多いので、建具枠もこれに対応して、特許文献１に示されるように、木製にする例が多い。屋内に使用される場合は防犯のような強度を必要としないほか、質感や感触が金属よりも柔らかくて使いやすいというのが主な理由である。
【特許文献１】特開２０００−１６０９４１公報
【発明の開示】
【発明が解決しようとする課題】
【０００４】
しかしながら、開口部の見込み幅に対応して木製の建具枠を製作するのは手間がかかり面倒な作業であった。
【０００５】
また、建具枠といっても、ドアをヒンジ金具を介して支持するので、一定の強度は必要であるし、経年で変形する可能性もあるから、枠部材に厚みが要求される。ところが、枠部材が厚くなると、必然的に開口部がその分狭くなるという問題がある。
【０００６】
本発明は上記問題点を解消し、壁に設けた開口部の柱の見込み幅に合わせて簡単に調整することができ、しかも十分な強度を有し、開口部を広く利用することができる建具枠を提供することをその課題とする。
【課題を解決するための手段】
【０００７】
前記課題を解決するため、請求項１に係る発明は、２つの壁の間に設けられた壁間開口部の両側の柱の側面に沿って設けられた金属製の建具枠において、その縦枠を金属製板状材から構成し、上記開口部の内面の一側に固定される第１の枠部材と、第１の枠部材に対して上記開口部の見込み幅に合わせてスライド調整可能に重合した第２の枠部材とを重合して上記開口部の柱の側面に固定したことを特徴とする。
【０００８】
請求項２に係る発明は、請求項１において、上記第１の枠部材は板状材の中央部に断面が凹字形の凹字形部を形成し、その一側端に断面をＵ字形に折り返して第１の厚み出し部を形成してなり、上記第２の枠部材は板状材の中央部を断面Ｚ字形に形成し、その一側端に上記第１の厚み出し部と同じ形状の断面Ｕ字形の第２の厚み出し部を形成してなるとともに、上記第１の部材の凹字形部と第１の厚み出し部の反対側の裏面に、第２の枠部材をスライド可能に重合したことを特徴とする。
【０００９】
請求項３に係る発明は、請求項２において、戸当り枠部材の一端に戸当り部を形成し、この戸当り部側の端部を第１の枠部材の表面に当接させ、他端を第１の枠部材の凹字形部に収納したことを特徴とする。
【００１０】
請求項４に係る発明は、請求項３において、上記第１の枠部材の凹字形部の厚み寸法は、上記第１の厚み出し部側の端部では第１の厚み出し部よりも肉厚分だけ引っ込み、第１の厚み出し部の反対側の端部では第１の厚み出し部よりも肉厚分だけ出っ張るように形成されていることを特徴とする、請求項２に記載２つの壁の間に設けられた壁間開口部の両側の柱の側面に沿って設けられた金属製の建具枠において、その縦枠を金属製板状材から構成し、上記開口部の内面の一側に固定される第１の枠部材と、第１の枠部材に対して上記開口部の見込み幅に合わせてスライド調整可能に重合した第２の枠部材と、戸当り枠部材とを重合して上記開口部の柱の側面に固定したことを特徴とする。
【発明の効果】
【００１１】
請求項１に係る発明によれば、開口部の内面の一側に固定される第１の枠部材と、第１の枠部材に対して上記開口部の見込み幅に合わせてスライド調整可能に重合した第２の枠部材と、戸当り枠部材とを重合して上記開口部の内面に固定した構成であるから、第１の枠部材と第２の枠部材とのスライドによって開口部の見込み幅に対応して簡単に縦枠の幅調整をすることができる。
【００１２】
また、枠部材を金属で構成したので、木製の枠部材に比べ、厚みを薄くすることができ、開口部を広く利用することができるとともに、厚みが小さくても十分な強度を確保することができる。
【００１３】
請求項２に係る発明によれば、第１の枠部材は板状材の中央部に断面が凹字形の凹字形部を形成し、その一側端に断面を断面Ｕ字形に折り返して第１の厚み出し部を形成してなり、上記第２の枠部材は板状材の中央部を断面Ｚ字形に形成し、その一側端に上記第１の厚み出し部と同じ形状の断面Ｕ字形の第２の厚み出し部を形成してなるとともに、上記第１の部材の凹字形部と第１の厚み出し部の反対側の裏面に、第２の枠部材をスライド可能に重合した構成であるから、第１の厚み出し部と第２の厚み出し部とによって建具枠の厚みを出すことができるとともに、第１の部材の凹字形部と第１の厚み出し部の反対側の裏面に、第２の枠部材の表面をスライド可能に重合したので、凹字形部とＺ字形の中央部とが当接したときに建具枠の見込み方向における基準の幅が決まり、ここを基準として容易に幅調整することができる。
【００１４】
請求項３に係る発明によれば、戸当り枠部材の一端に戸当り部を形成し、この戸当り部側の端部を第１の枠部材の表面に当接させ、他端を第１の枠部材の凹字形部に収納する構成であるから、戸当り枠部材を第１の枠部材に取り付けたときに上記凹字形部を隠して全体の厚みを保持することができるとともに、第１の枠部材と第２の枠部材とを固定するネジ等の固定手段を外部から覆うことができるので、全体の体裁を良好にすることができる。また、戸当り部の反対側は第１の枠部材の凹字形部に収納しているので、例えばドアを閉じたときに戸当り部に衝撃が加えられても、これは互いに固定された第１の枠部材と第２の枠部材とで負担するので、戸当り枠部材が変形したり位置ずれしたりするおそれがない。
【００１５】
請求項４に係る発明によれば、第１の枠部材の凹字形部の厚み寸法は、上記第１の厚み出し部側の端部では第１の厚み出し部よりも肉厚分だけ引っ込むように形成されているから、第１の枠部材の凹字形部と第１の厚み出し部の反対側の裏面に第２の枠部材を重合したときに、第１の枠部材と第２の枠部材の全体の厚みが揃うことになる。また、第１の厚み出し部の反対側の端部では第１の厚み出し部よりも肉厚分だけ出っ張るように形成されているから、戸当り枠部材の戸当り部側の端部を第１の枠部材の表面に当接させ、他端を第１の枠部材の凹字形部に収納する戸当り枠部材を収納して重合したときに、戸当り部と反対側における第１の枠部材と戸当り枠部材との面一性が保持される。
【発明を実施するための最良の形態】
【００１６】
図１及び図２において符号１は壁、２は開口部を示す。開口部２は壁に設けられた２本の柱の間に形成され、開口部２の内面にはドア枠（建具枠）３が取り付けられ、ドア枠３の内側にはドア４が開閉可能に設けられている。なお、柱の両側には内装材６が取り付けられている。また、柱５の開口部２側の側面には内装材６の端面と面一になるように調整材７が固定されている。
【００１７】
ドア枠３はそれぞれアルミニウム等の金属板状材からなり、上枠３ａと縦枠３ｂとによって形成されている。縦枠３ｂ（上枠３ａも同様）は第１の枠部材１０と第２の枠部材１１と戸当り枠部材１２とから構成されている。各枠部材は同じ肉厚で形成されている。
【００１８】
図３に示されるように、第１の枠部材１０は板状材１０ａの中央部を断面が凹字形の凹字形部１３を形成するとともに、一側端に断面をＵ字形に折り返してなる第１の厚み出し部１４を形成したものである。なお、第１の枠部材１０の凹字形部１３の厚み寸法は、上記第１の厚み出し部１４側の端部では第１の厚み出し部１４よりも肉厚α分だけ引っ込むように形成されている。また、第１の厚み出し部１４の反対側の端部では第１の厚み出し部１４よりも肉厚α分だけ出っ張るように形成されている。
【００１９】
第２の枠部材１１は板状材１１ａの中央部を断面Ｚ字形に形成し、その一側端に上記第１の厚み出し部１４と同じ形状の断面Ｕ字形の第２の厚み出し部１５を形成してなるものである。そして、Ｚ字状の折曲部１６の裏面と第２の厚み出し部１５の裏面とは面一になるように形成されている。
【００２０】
なお、上記第１の枠部材１０の第１の厚み出し部１４の厚みは、上記凹字形部１３の厚みよりも、上記第２の枠部材１１の肉厚α分だけ大きく形成され、上記第２の枠部材１１の中央部の厚みは、上記第２の厚み出し部１５と略同じに形成されている。
【００２１】
また、第１の枠部材１０にはその長手方向に沿って複数のネジ挿通孔１７が形成され、これに対応して第２の枠部材１１には、上記ネジ挿通孔１７に対応する位置に横長の長孔１８が形成されている。
【００２２】
戸当り枠部材１２は、一側にＵ字状の折り返し部１９を形成し、他側を上記折り返し部１９と反対側に折り曲げて戸当り部２０を形成したものである。なお、戸当り枠部材１２の裏面にはＺ字形の金属製補強片８が両面テープ等によって固定されている。戸当り部２０には弾性体２１を接着固定しておく。なお、上記折り返し部１９の厚みは第１の枠部材１０の凹字形部１３の深さと同じになるように形成されている。また、戸当り枠部材１２の幅寸法は上記凹字形部１３の幅よりも大きく形成されている。
【００２３】
次に、ドア４は木製で、その戸先側には２個の金属部材によって縁部材２２、２３が固定されている。吊元側には後述のヒンジ金具２４が取り付けられる。
【００２４】
次に、上記上枠３ａと縦枠３ｂによって構成されるドア枠３を開口部２に取り付けるときは、まず上枠３ａの第１の枠部材１０と縦枠３ｂの第１の枠部材１０とを門形に枠組みする。このとき、図４（ａ）（ｂ）に示されるように、上枠３ａの第１の枠部材１０にＬ字形の連結金具２５を固定しておき、縦枠３ｂの第１の枠部材１０の上端からネジを挿通して上記連結金具２５に形成されたネジ穴２６に螺着する。これにより、第１の枠部材１０による門形枠部分ができる。また、一方の縦枠３ｂの第１の枠部材１０にはヒンジ金具２４の一方の羽根を固定する。なお、この時点では、戸当り枠部材１２は取り付けないでおく。
【００２５】
同様にして、上枠３ａの第２の枠部材１１の両端にＬ字形の連結金具２５を固定しておき、縦枠３ｂの第２の枠部材１１の上端からネジを挿通して上記連結金具２５に形成されたネジ穴２６に螺着する。これにより、第２の枠部材１１による門形枠部分ができる。
【００２６】
そこで、開口部２の一方から第１の枠部材１０による半枠部分を挿入する。他方から第２の枠部材１１による半枠部分を挿入する。このとき、第２の枠部材１１の内側に第１の枠部材１０を嵌め込む。第２の枠部材１１は上記第１の枠部材１０の裏面に重合する。そして、第１の枠部材１０に対して第２の枠部材１１をスライドさせて開口部２の見込み寸法に合わせてドア枠３の見込み幅を調整する。さらに、第１の枠部材１０のネジ挿通孔１７（図３参照）から木ネジ２７を挿通し、第２の枠部材１１の長孔１８（図３参照）を通して開口部２の上面部と柱５に固定する。最後に、第１の枠部材１０の中央部の凹字形部１３の内部に上記戸当り枠部材１２の折り返し部１９を収納した状態で重合し、さらに補強片８の端部を粘着テープ等によって凹字形部１３の底面に固定する。その後、上記ヒンジ金具２４の他方の羽根にドア４の吊元側の端面を固定すればよい。なお、上記ドア枠３には予めヒンジ金具２４を介してドア４を固定しておいてもよい。
【００２７】
次に、図５は柱５の両側に調整部材７ａを固定することによって開口部２の見込み寸法を大きくした場合の実施形態を示すもので、この場合も、開口部２の見込み幅に合わせて第２の枠部材１１をスライドさせることによって対応することができる。他の構成、取付手順は上述の例と同じである。
【００２８】
以上のように、上記構成によれば、開口部２の内面の一側に固定される第１の枠部材１０と、第１の枠部材１０に対して上記開口部２の見込み幅に合わせてスライド調整可能に重合した第２の枠部材１１と、戸当り枠部材１２とを重合して上記開口部２の内面に固定した構成であるから、第１の枠部材１０と第２の枠部材１１とのスライドによって開口部２の見込み幅に対応して簡単に縦枠３ｂの幅調整をすることができる。
【００２９】
また、ドア枠３の厚みは第１の厚み出し部１４と第２の厚み出し部１５によって決まるが、第１の厚み出し部１４と第２の厚み出し部１５はいずれも板状材を屈曲形成したものなので、従来の木製の枠に比べて非常に薄い。その代わりに、開口部２の内寸が広くなるので、開口部２に開放感が得られるとともに、広く利用することができるとともに、厚みが小さくても十分な強度を確保することができる。
【００３０】
また、厚みが小さいので、ドア枠３は金属製であっても目立たないので、木質系のドア４ともなじみがよい。
【００３１】
さらに、第１の枠部材１０の凹字形部１３と第１の厚み出し部１４の反対側の裏面に、第２の枠部材１１をスライド可能に重合したから、凹字形部１３とＺ字形の折曲部１６とが当接したときに建具枠の見込み方向における基準の幅が決まり、ここを基準として容易に幅調整することができる。
【００３２】
また、戸当り枠部材１２の戸当り部２０側の端部を第１の枠部材１０の表面に当接させ、他端を第１の枠部材１０の凹字形部１３に収納する構成であるから、戸当り枠部材１２を第１の枠部材１０に取り付けたときに上記凹字形部１３を隠して全体の厚みを保持することができるとともに、第１の枠部材１０と第２の枠部材１１とを固定するネジ２７を外部から覆うことができるので、全体の体裁を良好にすることができる。また、戸当り部２０の反対側は第１の枠部材１０の凹字形部１３に収納しているので、ドア４を閉じたときに戸当り部２０に衝撃が加えられても、これは互いに固定された第１の枠部材１０と第２の枠部材１１とで負担するので、戸当り枠部材１２が変形したり位置ずれしたりするおそれがない。
【００３３】
加えて、第１の枠部材１０の凹字形部１３の厚み寸法は、上記第１の厚み出し部１４側の端部では第１の厚み出し部１４よりも肉厚分だけ引っ込むように形成されているから、第１の枠部材１０の凹字形部１３と第１の厚み出し部１４の反対側の裏面に第２の枠部材１１を重合したときに、第１の枠部材１０と第２の枠部材１１の全体の厚みが揃うことになる。また、第１の厚み出し部１４の反対側の端部では第１の厚み出し部１４よりも肉厚分だけ出っ張るように形成されているから、戸当り枠部材１２の戸当り部２０側の端部を第１の枠部材１０の表面に当接させ、他端を第１の枠部材１０の凹字形部１３に収納する戸当り枠部材１２を収納して重合したときに、戸当り部２０と反対側における第１の枠部材１０と戸当り枠部材１２との面一性が保持される。
【００３４】
さらに、戸当り枠部材１２の裏側には補強片８が取り付けられているので、その強度が補強され、ドア４の衝撃による撓み変形を有効に防止することができる。
【００３５】
なお、図６及び図７は第１の枠部材１０と戸当り枠部材１２の他の例を示すもので、凹字形部１３の両側壁に係止突部３０を形成するとともに、戸当り枠部材１２の両端からは係止脚３１を突出形成し、係止突部３０に係止脚３１を係止させることによって戸当り枠部材１２を第１の枠部材１０に装着した構成である。この場合も、上述と同様の効果を得ることができる。
【図面の簡単な説明】
【００３６】
【図１】本発明に係る建具枠に建具を収納した状態の正面図
【図２】図１のX―X線上の拡大断面図
【図３】第１、第２の枠部材と戸当り枠部材の分解側面図
【図４】（ａ）（ｂ）はそれぞれ上記建具枠の正面の一部拡大図及び上枠の横断面図
【図５】上記建具枠を調整して取り付けた状態の横断面図
【図６】第１の枠部材と戸当り枠部材の他の例を示す横断面図
【図７】第１、第２の枠部材と戸当り枠部材の側面図
【符号の説明】
【００３７】
２    開口部
３    縦枠
５    はした
１０  第１の枠部材
１１  第２の枠部材
１２  戸当り枠部材
【図１】
2008267037.tif 000003
【図２】
2008267037.tif 000004
【図３】
2008267037.tif 000005
【図４】
2008267037.tif 000006
【図５】
2008267037.tif 000007
【図６】
2008267037.tif 000008
【図７】
2008267037.tif 000009